(57)【特許請求の範囲】
【請求項１】
ヘッド部と、
両側に粘着層を有する両面テープと、
前記両面テープによって前記ヘッド部に接着されたバッジ部とを備え、
前記ヘッド部は、
フェース面と、
前記フェース面の後方に位置するバック面とを含み、
前記バッジ部は、前記バック面側に接着されており、
前記両面テープは、
前記バック面と接着される第１の粘着層と、
前記バッジ部と接着される第２の粘着層と、
前記第１および第２の粘着層に挟まれた中間層とを含み、
前記中間層は、連続発泡体構造を有している、アイアンゴルフクラブヘッド。
【請求項２】
軟鉄を含み、かつ鍛造で製造されたヘッド部と、
両側に粘着層を有する両面テープと、
前記両面テープによって前記ヘッド部に接着されたバッジ部とを備え、
前記ヘッド部は、
フェース面と、
前記フェース面の後方に位置するバック面とを含み、
前記バッジ部は、前記バック面側に接着されており、
前記両面テープは、
前記バック面と接着される第１の粘着層と、
前記バッジ部と接着される第２の粘着層と、
前記第１および第２の粘着層に挟まれた中間層とを含み、
前記中間層は、連続発泡体構造を有し、
前記バッジが前記両面テープにより接着された前記ヘッド部の打球音の響き時間は、前記バッジ部が接着されていない前記ヘッド部の響き時間の５０％以上である、アイアンゴルフクラブヘッド。
【請求項３】
前記中間層の厚みが前記第１および第２の粘着層の厚みよりも厚い、請求項１または請求項２に記載のアイアンゴルフクラブヘッド。
【請求項４】
前記連続発泡構造は、ボイドを含み、
前記ボイドは、前記第１の粘着層から前記第２の粘着層まで連続的に延びている、請求項１〜３のいずれかに記載のアイアンゴルフクラブヘッド。
【請求項５】
前記中間層が、ポリエチレンフォームを含む、請求項１〜４のいずれかに記載のアイアンゴルフクラブヘッド。
【請求項６】
前記連続発泡構造は、ＭＩＬ規格Ｒ６１３０Ｃに規定された吸水率が５％を超えるように構成されている、請求項１〜５のいずれかに記載のアイアンゴルフクラブヘッド。
【請求項７】
シャフトと、
前記シャフトの一方端に取り付けられたグリップと、
前記シャフトの前記グリップと反対側の他方端に取り付けられた請求項１〜６のいずれかに記載のアイアンゴルフクラブヘッドとを備えた、アイアンゴルフクラブ。
【発明の詳細な説明】
【技術分野】
【０００１】
本発明は、アイアンゴルフクラブヘッドおよびアイアンゴルフクラブに関し、ヘッド部にバッジ部が接着されたアイアンゴルフクラブヘッドおよびアイアンゴルフクラブに関する。
【背景技術】
【０００２】
近年の研究において、アイアンゴルフクラブの打感は打球音の影響を受けることが分かっており、打球音の響き時間が長いと打感が向上し、打球音の響き時間が短いと打感が低下すると感じるゴルファがあることも分かっている。
【０００３】
他方、たとえば特開２０１０−１４８５６５号公報（特許文献１）には、バッジ部がバック面に両面粘着テープで接着されたゴルフクラブヘッドが開示されている。この両面粘着テープは粘着層に挟まれた樹脂層を有している。
【先行技術文献】
【特許文献】
【０００４】
【特許文献１】特開２０１０−１４８５６５号公報
【発明の概要】
【発明が解決しようとする課題】
【０００５】
上記公報のゴルフクラブヘッドでは、両面粘着テープの粘着層に挟まれた樹脂層は気泡を有さないように形成されている。つまり、樹脂層は中実に形成されているため、この樹脂層を打球音が通りにくい。このため、打球音の響き時間が低下する。その結果、打感が低下する。
【０００６】
本発明は、上記課題を鑑みてなされたものであり、その目的は、バッジ部を備えながら打球音の響き時間の低下を抑制することによって打感を向上することができるアイアンゴルフクラブヘッドおよびアイアンゴルフクラブを提供することである。
【課題を解決するための手段】
【０００７】
本発明のアイアンゴルフクラブヘッドは、ヘッド部と、両側に粘着層を有する両面テープと、両面テープによってヘッド部に接着されたバッジ部とを備えている。ヘッド部は、フェース面と、フェース面の後方に位置するバック面とを含んでいる。バッジ部は、バック面側に接着されている。両面テープは、バック面と接着される第１の粘着層と、バッジ部と接着される第２の粘着層と、第１および第２の粘着層に挟まれた中間層とを含んでいる。中間層は、連続発泡体構造を有している。
【０００８】
本発明のアイアンゴルフクラブヘッドでは、中間層が連続発泡体構造を有しているため、打球音が中間層を通りやすい。そのため、打球音の響き時間の低下を抑制することができる。これにより、打感を向上することができる。
【０００９】
上記のアイアンゴルフクラブヘッドでは、好ましくは、中間層の厚みが第１および第２の粘着層の厚みよりも厚い。上記のように中間層が連続発泡体構造を有しているため、中間層の厚みが第１および第２の粘着層の厚みよりも厚くても、打球音が中間層を通りやすい。中間層の厚みを第１および第２の粘着層の厚みよりも厚くすることで、両面テープの剛性を向上できる。これにより、打球音の響き時間の低下を抑制しつつ両面テープによってしっかりとバッジ部を保持することができる。
【００１０】
上記のアイアンゴルフクラブヘッドでは、好ましくは、連続発泡構造は、ボイドを含んでいる。ボイドは、第１の粘着層から第２の粘着層まで連続的に延びている。このようにボイドが第１の粘着層から第２の粘着層まで連続的に延びているため、打球音がボイドを通って中間層を抜けることができる。このため、打球音が中間層を通りやすい。
【００１１】
上記のアイアンゴルフクラブヘッドでは、好ましくは、中間層が、ポリエチレンフォームを含んでいる。ポリエチレンフォームは成形が容易であるため、連続発泡体形状を容易に製造することができる。
【００１２】
上記のアイアンゴルフクラブヘッドでは、好ましくは、ヘッド部は、軟鉄を含み、かつ鍛造で製造されている。軟鉄を用いて鍛造により製造されるアイアンゴルフクラブヘッドは打球音がよい。そのため、打球音をよくすることで打感をさらに向上することができる。
【００１３】
上記のアイアンゴルフクラブヘッドでは、好ましくは、連続発泡構造は、ＭＩＬ規格Ｒ６１３０Ｃに規定された吸水率が５％を超えるように構成されている。このため、打球音が中間層を通りやすい。
【００１４】
本発明のアイアンゴルフクラブは、シャフトと、シャフトの一方端に取り付けられたグリップと、シャフトのグリップと反対側の他方端に取り付けられた上述のアイアンゴルフクラブヘッドとを備えている。これにより、打球音の響き時間の低下を抑制することによって打感を向上できるアイアンゴルフクラブを得ることができる。
【発明の効果】
【００１５】
以上説明したように、本発明のアイアンゴルフクラブヘッドおよびアイアンゴルフクラブによれば、バッジ部を備えながら打球音の響き時間の低下を抑制することによって打感を向上することができる。
【図面の簡単な説明】
【００１６】
【図１】本発明の一実施の形態におけるアイアンゴルフクラブヘッドの概略背面図である。
【図２】本発明の一実施の形態におけるアイアンゴルフクラブヘッドの概略正面図である。
【図３】本発明の一実施の形態における両面テープの概略正面図である。
【図４】本発明の一実施の形態における両面テープおよびバッジ部の概略側面図である。
【図５】本発明の一実施の形態における両面テープの概略斜視図である。
【図６】本発明の一実施の形態におけるアイアンゴルフクラブの概略正面図である。
【図７】比較例１〜３および本発明例のＡ補正音圧割合と響き時間割合との関係を示す図である。
【図８】比較例１〜６および本発明例のＡ補正音圧と響き時間との関係を示す図である。
【発明を実施するための形態】
【００１７】
以下、本発明の一実施の形態について図に基づいて説明する。
最初に本発明の一実施の形態のアイアンゴルフクラブヘッドの構成について説明する。
【００１８】
図１〜図３を参照して、アイアンゴルフクラブヘッド４０は、ヘッド部１０と、両面テープ２０と、バッジ部３０とを主に有している。バッジ部３０は、両面テープ２０によってヘッド部１０に接着されている。
【００１９】
ヘッド部１０は、打球面であるフェース面１１とを有している。フェース面１１に複数の溝部１２が形成されている。複数の溝部（スコアライン）１２は、フェース面１１を縦断する方向に略等間隔で形成されており、フェース面１１を横断する方向に直線状に形成されている。
【００２０】
ヘッド部１０は、シャフトが接続されるホーゼル部も有している。ヘッド部１０は、フェース面１１の周囲に位置するトップエッジ部、トゥ部、ソール部、ヒール部も有している。トップエッジ部はホーゼル部からトゥ部に至るヘッド部１０本体の上端縁部を構成する部分である。ソール部は、ヘッド部１０本体の底部を構成する部分である。トゥ部はホーゼル部から離れた側のトップエッジ部とソール部とを接続する部分である。ヒール部はホーゼル部下端からソール部に至る部分である。
【００２１】
ヘッド部１０は、フェース面１１の後方（背面）に位置するバック面１３を有している。バック面１３には２つのキャビティが形成されており、それぞれのキャビティにはキャビティ立ち面１４が形成されている。なお、キャビティは１つ形成されていてもよい。ヘッド部１０は、たとえばＪＩＳ規格Ｓ２５Ｃを含む素材を用いて作製することができる。また、ヘッド部１０の材料としては、ばね鋼、マレージング鋼、ステンレス鋼などが適用され得る。ヘッド部１０は、鍛造で製造されていてもよい。
【００２２】
バッジ部３０は、両面テープ２０によってバック面１３側に接着されている。接着を容易にするため、両面テープ２０とバック面１３との間に少量の接着剤が塗布されていてもよい。バッジ部３０は、ソール部側のキャビティ立ち面１４に囲まれた領域に両面テープ２０によって貼り付けられている。バッジ部２０の材料としては、アルミニウム、ステンレス、真鍮、ＡＢＳ、ニッケル、マグネシウムなどが適用され得る。バッジ部２０は、たとえばＪＩＳ規格ＳＵＳ３０４を含む素材を用いて作製することができる。
【００２３】
両面テープ２０は、バッジ部３０の外周形状にほぼ相似する外周形状を有している。
図４を参照して、両面テープ２０の一方面側にはバッジ部３０が装着されている。両面テープ２０の他方側がバック面１３に接着される。両面テープ２０は、バッジ部３０の外周を内側に約１ｍｍオフセットした大きさを有している。
【００２４】
図５を参照して、両面テープ２０は、第１の粘着層２１と、第２の粘着層２２と、中間層２３とを主に有している。なお、両面テープ２０は接着前にはライナー２４も有している。このライナー２４は接着時には取り外される。
【００２５】
第１の粘着層２１および第２の粘着層２２は、たとえばアクリル系の材質より形成されている。第１の粘着層２１はバック面１３に接着される。第２の粘着層２２は、バッジ部３０に接着される。中間層２３は第１の粘着層２１および第２の粘着層２２に挟まれている。中間層２３は、連続発泡体構造を有している。連続発泡体構造では、発泡体内の各気泡が連続気泡構造を有している。
【００２６】
連続気泡構造は、ＭＩＬ規格Ｒ６１３０Ｃに記載される試験方法により、吸水率が５％を超えるように構成されている。
【００２７】
連続発泡構造はボイド２５を有している。ボイド２５は連続発泡構造に含まれる空洞部分である。ボイド２５は、第１の粘着層２１から第２の粘着層２２まで連続的に延びていてもよい。
【００２８】
中間層２３の厚みは、第１の粘着層２１の厚みおよび第２の粘着層２２の厚みよりも厚くてもよい。
【００２９】
中間層２３は、たとえばポリエチレンフォームからなっていてもよい。また中間層２３をポリエチレンフォームを含んでいてもよい。
【００３０】
アイアンゴルフクラブヘッド４０は、両面テープ２０によりバッジ部３０が接着されたアイアンゴルフクラブヘッド４０の響き時間が、両面テープ２０およびバッジ部３０を有していないヘッド部１０単体での響き時間の５０％以上となることが好ましい。
【００３１】
アイアンゴルフクラブヘッド４０は、両面テープ２０によりバッジ部３０が接着されたアイアンゴルフクラブヘッド４０のＡ補正音圧（Ａ−Ｗｅｉｇｈｔ）が、両面テープ２０およびバッジ部３０を有していないヘッド部１０単体でのＡ補正音圧の９５％以上となることが好ましい。
【００３２】
また、ヘッド部１０にはめっきが施されていてもよい。めっきは、たとえば、Ｎｉ（ニッケル）−Ｃｒ（クロム）めっきであってもよい。
【００３３】
図６を参照して、アイアンゴルフクラブヘッド４０にシャフト５１およびグリップ５２を組み合わせることでアイアンゴルフクラブ５０が構成される。アイアンゴルフクラブ５０は、シャフトと５１、シャフト５１の一方端に取り付けられたグリップ５２と、シャフト５１のグリップ５２と反対側の他方端に取り付けられたアイアンゴルフクラブヘッド４０とを有している。なお、シャフト５１およびグリップ５２は周知のものを採用可能である。
【００３４】
次に、本発明の一実施の形態の作用効果について説明する。
本発明の一実施の形態のアイアンゴルフクラブヘッド４０では、中間層２３が連続発泡体構造を有しているため、打球音が中間層を通りやすい。そのため、打球音の響き時間の低下を抑制することができる。これにより、打感を向上することができる。
【００３５】
本発明の一実施の形態のアイアンゴルフクラブヘッド４０では、中間層２３の厚みが第１の粘着層２１および第２の粘着層２２の厚みよりも厚いことが好ましい。中間層２３が連続発泡体構造を有しているため、中間層２３の厚みが第１の粘着層２１および第２の粘着層２２の厚みよりも厚くても、打球音が中間層２３を通りやすい。中間層２３の厚みを第１の粘着層２１および第２の粘着層２２の厚みよりも厚くすることで、両面テープ２０の剛性を向上できる。これにより、打球音の響き時間の低下を抑制しつつ両面テープ２０によってしっかりとバッジ部３０を保持することができる。
【００３６】
本発明の一実施の形態のアイアンゴルフクラブヘッド４０では、連続発泡構造はボイド２５を含んでおり、ボイド２５は第１の粘着層２１から第２の粘着層２２まで連続的に延びている。ボイド２５が第１の粘着層２１から第２の粘着層２２まで連続的に延びているため、打球音がボイド２５を通って中間層２３を抜けることができる。このため、打球音が中間層を通りやすい。
【００３７】
本発明の一実施の形態のアイアンゴルフクラブヘッド４０では、中間層２３が、ポリエチレンフォームを含んでいる。ポリエチレンフォームは成形が容易であるため、連続発泡体形状を容易に製造することができる。
【００３８】
本発明の一実施の形態のアイアンゴルフクラブヘッド４０では、ヘッド部１０は、軟鉄を含み、かつ鍛造で製造されている。軟鉄を用いて鍛造により製造されるアイアンゴルフクラブヘッド４０は打球音がよい。そのため、打球音をよくすることで打感をさらに向上することができる。
【００３９】
本発明の一実施の形態のアイアンゴルフクラブヘッド４０では、連続発泡構造は、ＭＩＬ規格Ｒ６１３０Ｃに規定された吸水率が５％を超えるように構成されている。このため、打球音が中間層を通りやすい。
【００４０】
本発明の一実施の形態のアイアンゴルフクラブ５０では、上述のアイアンゴルフクラブヘッド４０を備えていることにより、打球音の響き時間の低下を抑制することによって打感を向上できるアイアンゴルフクラブ５０を得ることができる。
【実施例】
【００４１】
以下、本発明の実施例について説明する。なお、上記と同一または相当する部分に同一の参照符号を付し、その説明を繰り返さない場合がある。
【００４２】
図７および図８を参照して、Ａ補正音圧（Ａ−Ｗｅｉｇｈｔ：Ａ−ｗｔ）と響き時間との関係について説明する。
【００４３】
Ａ補正音圧および響き時間の測定は次のように行った。実験室内において振り子式ネジハンマーでスコアラインのソール部側から３本目と４本目との間の打点１５（図２参照）を打撃し、その音を録音した。音圧および響き時間はヘッド単体について測定した。測定器はTASCAM HD-P2を使用した。ソフトウエアはBruel & Kjar Sound Quality Type 7698を使用した。マイクはBruel & Kjar Microphone Type 4190を使用した。マイク電源はBruel & Kjar Microphone Type 2804を使用した。キャリブレーターはBruel & Kjar Sound Level Calibrator Type 4231を使用した。打点１５とマイクとの距離は２０ｃｍとし、測定時間は−０．２〜１．８秒とし、窓関数は「Rectangular」とした。ここで瞬時音圧の最大時刻が０秒である。それぞれ３球録音し音圧が中間の値を採用した。響き時間は、音圧が０．０５Ｐａを最後に切るまでの時間で算出した。ただし、実際に打撃音を聞いた感覚から０．０５Ｐａを超えていてもノイズと見なせる部分については除外した。
【００４４】
続いて、比較例１〜比較例６および本発明例の構成について説明する。比較例１はバッジ部３０が接着されておらず両面テープ２０も貼り付けられていない。比較例２〜比較例６および本発明例では同様のバッジ部３０が、それぞれ構成が異なる両面テープ２０で接着されている。
【００４５】
より具体的には、比較例２〜比較例６および本発明例では中間層２３の構造、材質および厚さがそれぞれ異なっている。なお、比較例２〜比較例６および本発明例では第１の粘着層２１および第２の粘着層２２はそれぞれアクリル系の材質で形成されている。
【００４６】
比較例２の中間層２３は、アクリルフォームで形成されている。比較例２の中間層２３の厚みは、０．８ｍｍである。
【００４７】
比較例３の中間層２３は、不織布で形成されている。比較例３の中間層２３の厚みは、０．１２ｍｍである。
【００４８】
比較例４の中間層２３は、アクリルフォームで形成されており、独立発泡体構造を有している。独立発泡体構造は、独立発泡体構造では、発泡体内の各気泡が独立気泡構造を有している。独立気泡構造は、ＭＩＬ規格Ｒ６１３０Ｃ（ＭＩＬ−Ｒ６１３０Ｃ）に規定されたスポンジを特定条件下で水中に沈め、吸水率が５％以下のものである。比較例２の中間層２３の厚みは、１．０ｍｍである。
【００４９】
比較例５の中間層２３は、アクリルフォームで形成されている。比較例５の中間層２３の厚みは、１．２ｍｍである。
【００５０】
比較例６の中間層２３は、アクリルフォームで形成されており、ほぼ無発泡の独立発泡体構造を有している。比較例６の中間層の厚みは１．０ｍｍである。
【００５１】
本発明例の中間層２３は、ポリエチレンフォームで形成されており、独立発泡体構造を有している。本発明例の中間層２３の厚みは、１．１ｍｍである。
【００５２】
図７および表１を参照して、本発明例の響き時間割合（％）は比較例１の５１．０３％となった。比較例２の響き時間割合は比較例１の３８．９４％となった。比較例３の響き時間割合は比較例１の４２．３５％となった。本発明例は、比較例１および比較例２に比べて響き時間の低下を抑制できることがわかった。
【００５３】
【表１】
0005784949.tif 000002
【００５４】
また、本発明例のＡ補正音圧割合（％）は、比較例１の９９．４８％となった。比較例２のＡ補正音圧割合は比較例１の９４．４９％となった。比較例３のＡ補正音圧割合は比較例１の９４．９６％となった。本発明例は、比較例１および比較例２に比べてＡ補正音の低下を抑制できることがわかった。
【００５５】
図８および表２を参照して、比較例１の響き時間（秒）は０．７２５秒となった。比較例２の響き時間は０．２８２秒となった。比較例３の響き時間は０．３０７秒となった。比較例４の響き時間は０．２３０秒となった。比較例５の響き時間は０．１８４秒となった。比較例６の響き時間は０．２２６秒となった。本発明例の響き時間は０．３７０秒となった。本発明例は、比較例２〜比較例６に比べて響き時間の低下を抑制できることがわかった。
【００５６】
【表２】
0005784949.tif 000003
【００５７】
また、比較例１のＡ補正音圧（ｄＢ）は７０．９ｄＢとなった。比較例２のＡ補正音圧は６７．０ｄＢとなった。比較例３のＡ補正音圧は６７．３ｄＢとなった。比較例４のＡ補正音圧は６７．２ｄＢとなった。比較例５のＡ補正音圧は６６．８ｄＢとなった。比較例６の補正音圧は６７．７となった。本発明例のＡ補正音圧は７０．５ｄＢとなった。本発明例は、比較例２〜比較例６に比べてＡ補正音圧の低下を抑制できることがわかった。
【００５８】
さらに、本願発明者等は、上記の効果を確認すべく、比較例１〜比較例６および本発明例のアイアンゴルフクラブヘッド４０を備えたアイアンゴルフクラブ５０をそれぞれ作製し、それぞれについて３名の被験者（被験者Ａ〜Ｃ）による試打試験を行った。
【００５９】
【表３】
0005784949.tif 000004
【００６０】
表３を参照して、表中の○は打感が良いことを示し、△は打感が普通であることを示し、×は打感が悪いことを示している。表３に示すとおり、試打試験を行ったすべての被験者が比較例１および本発明例のアイアンゴルフクラブ５０の打感が良好であると判定した。一方、比較例２では被験者Ｂは打感が普通であると判定したが、被験者ＡおよびＣは打感が悪いと判定した。また、比較例３〜５では被験者Ａ〜Ｃとも打感が悪いと判定した。また、比較例６では被験者Ｃは打感が普通であると判定し、被験者ＡおよびＢは打感が悪いと判定した。このことからも、本発明例ではバッジ部３０を備えながら打球音の響き時間の低下を抑制することによって打感を向上することができることがわかった。
【００６１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００６２】
本発明は、ヘッド部にバッジ部が接着されたアイアンゴルフクラブヘッドおよびアイアンゴルフクラブに特に有利に適用され得る。
【符号の説明】
【００６３】
１０  ヘッド部、１１  フェース面、１２  溝部、１３  バック面、１４  キャビティ立ち面、１５  打点、２０  両面テープ、２１  第１の粘着層、２２  第２の粘着層、２３  中間層、２４  ライナー、２５  ボイド、３０  バッジ部、４０  アイアンゴルフクラブヘッド、５０  アイアンゴルフクラブ、５１  シャフト、５２  グリップ。
【図１】
0005784949.tif 000005
【図２】
0005784949.tif 000006
【図３】
0005784949.tif 000007
【図４】
0005784949.tif 000008
【図５】
0005784949.tif 000009
【図６】
0005784949.tif 000010
【図７】
0005784949.tif 000011
【図８】
0005784949.tif 000012